(57)【要約】      （修正有）【課題】１つの画面で複数の視聴者が所望の位置から好みの映像を視聴できるようにする。【解決手段】表示装置１は、ライン毎の走査で映像を表示するように表示パネルに平行に列設された画像表示用の複数のラインと、ラインのうちの奇数番のライン上に設けられ、第１の偏光特性を有する第１偏光部と、偶数番のライン上に設けられ、第１の偏光特性とは異なる第２の偏光特性を有する第２偏光部と、複数のラインに第１映像と第２映像とを一つおきに出力する映像出力部とを備える。【選択図】図１
2011033749.tif 000002
【特許請求の範囲】
【請求項１】
ライン毎の走査で映像を表示するように表示パネルに平行に列設された画像表示用の複数のラインと、
前記複数のラインのうちの奇数番のライン上に設けられ、第１の偏光特性を有する第１偏光部と、
前記複数のラインのうちの偶数番のライン上に設けられ、第１の偏光特性とは異なる第２の偏光特性を有する第２偏光部と、
前記複数のラインに第１映像と第２映像を交互に出力する映像出力部と
を具備することを特徴とする表示装置。
【請求項２】
請求項１記載の表示装置に表示される映像を視聴するための眼鏡であり、前記表示パネルの前記第１偏光部を透過した前記奇数ラインの光を透過する第１偏光レンズ部を備える第１の眼鏡と、
前記表示装置に表示される映像を視聴するための眼鏡であり、前記表示パネルの前記第２偏光部を透過した前記偶数ラインの光を透過する第２偏光レンズ部を備える第２の眼鏡と
を具備することを特徴とする眼鏡。
【請求項３】
前記第１映像および前記第２映像のうち、対応するラインの映像の音声信号を受信する無線受信部と、
受信された映像の音声信号を再生する音声再生部と
を具備することを特徴とする請求項２記載の眼鏡。
【請求項４】
フレーム単位に映像を表示する表示パネルに第１映像のフレームと第２映像のフレームとを交互に出力するとともに、前記第１映像および前記第２映像の音声信号と、各フレームの出力タイミングに制御信号とを無線送信する機能を有する表示装置の前記表示パネルに表示される映像を視聴するための眼鏡であって、
前記第１映像および前記第２映像のうち、対応する映像の音声信号を受信する無線受信部と、
前記レンズに形成され、制御を受けて前記レンズに入る光を透光または遮光する光学的シャッターと、
受信された前記制御信号に従って前記光学的シャッターを透光状態または遮光状態にするシャッター駆動部と、
受信された映像の音声信号を再生する音声再生部と
を具備することを特徴とする眼鏡。
【発明の詳細な説明】
【技術分野】
【０００１】
本発明は、複数の視聴者が一つの画面を共用して異なる映像を視聴するための表示装置および眼鏡に関する。
【背景技術】
【０００２】
近年、大画面の液晶パネルを使用した薄型のテレビジョン装置（以下「テレビ」と称す）が各家庭に普及し、各家庭のリビングルームなどでは、一台のテレビを家族で視聴するようになりつつあるが、家族といえども人それぞれ視聴を希望する番組が異なることから、テレビによっては、一つの画面を分割し、分割した画面に異なる映像を表示する機能を備えるものもある。
【０００３】
テレビの画面を分割する場合、せっかくの大画面が生かせないという問題がある。そこで、近年では、縦ストライプ上に交互に形成される透光部と遮光部とを交互に入れ替える液晶シャッターをテレビの画面に設け、この液晶シャッターと画面に映し出す映像とを同期させて切り換えることで、一つの画面で、左右方向に離れた第１の観察位置と第２の観察位置から別々の映像を視聴できるようにした技術が開発されている（特許文献１参照）。
【０００４】
この技術は、カーナビゲーションシステムのように小さい画面を運転席と助手席からのぞき込むようなケースを想定しており、画面に対する各観察位置を、ある一定の角度以上保持する必要がある。
【先行技術文献】
【特許文献】
【０００５】
【特許文献１】特開２０００−３６９２７号公報
【発明の概要】
【発明が解決しようとする課題】
【０００６】
しかしながら、リビングルームなどに設置した大画面テレビのように、画面に近い位置で複数の視聴者が集い視聴するようなケースでは、それぞれの視聴者が画面に対して一定の視聴角度をとることができず、上記した先行技術では、それぞれの視聴者が所望の位置から好みの映像を視聴できないという問題があった。
【０００７】
本発明はこのような課題を解決するためになされたもので、１つの画面で複数の視聴者が所望の位置から好みの映像を視聴することができる表示装置および眼鏡を提供することを目的としている。
【課題を解決するための手段】
【０００８】
上記の課題を解決するために、本発明の表示装置は、ライン毎の走査で映像を表示するように表示パネルに平行に列設された画像表示用の複数のラインと、前記複数のラインのうちの奇数番のライン上に設けられ、第１の偏光特性を有する第１偏光部と、前記複数のラインのうちの偶数番のライン上に設けられ、第１の偏光特性とは異なる第２の偏光特性を有する第２偏光部と、前記複数のラインに第１映像と第２映像を交互に出力する映像出力部とを具備することを特徴とする。
【０００９】
本発明の眼鏡は、前記表示装置に表示される映像を視聴するための眼鏡であり、前記表示パネルの前記第１偏光部を透過した前記奇数ラインの光を透過する第１偏光レンズ部を備える第１の眼鏡と、前記表示装置に表示される映像を視聴するための眼鏡であり、前記表示パネルの前記第２偏光部を透過した前記偶数ラインの光を透過する第２偏光レンズ部を備える第２の眼鏡とを具備することを特徴とする。
【００１０】
本発明の眼鏡は、フレーム単位に映像を表示する表示パネルに第１映像のフレームと第２映像のフレームとを交互に出力するとともに、前記第１映像および前記第２映像の音声信号と、各フレームの出力タイミングに制御信号とを無線送信する機能を有する表示装置の前記表示パネルに表示される映像を視聴するための眼鏡であって、前記第１映像および前記第２映像のうち、対応する映像の音声信号を受信する無線受信部と、前記レンズに形成され、制御を受けて前記レンズに入る光を透光または遮光する光学的シャッターと、受信された前記制御信号に従って前記光学的シャッターを透光状態または遮光状態にするシャッター駆動部と、受信された映像の音声信号を再生する音声再生部とを具備することを特徴とする。
【発明の効果】
【００１１】
本発明によれば、１つの画面で複数の視聴者が所望の位置から好みの映像を視聴することができる。
【図面の簡単な説明】
【００１２】
【図１】第１実施形態の映像視聴システムの構成を示す図である。
【図２】図１の映像視聴システムの表示装置の構成を示す図である。
【図３】図１の映像視聴システムの眼鏡の構成を示す図である。
【図４】第１映像と第２映像の合成の様子を示す図である。
【図５】偏光板を示す図である。
【図６】第２実施形態の映像視聴システムの構成を示す図である。
【図７】図６の映像視聴システムの表示装置の構成を示す図である。
【図８】図６の映像視聴システム眼鏡の構成を示す図である。
【図９】第１映像と第２映像の合成の様子を示す図である。
【図１０】表示装置に第１映像が表示されたときの液晶シャッター付きメガネの動作状態を示す図である。
【図１１】表示装置に第２映像が表示されたときの液晶シャッター付きメガネの動作状態を示す図である。
【図１２】第３実施形態の映像視聴システムの構成を示す図である。
【発明を実施するための形態】
【００１３】
以下、図面を参照して、本発明の一つの実施の形態の映像視聴システムを詳細に説明する。図１は映像視聴システムの構成を示す図である。
【００１４】
この第１実施形態の映像視聴システムは、映像を表示する一つの画面を有する表示装置１と、この表示装置１の画面に映し出される映像のうち、奇数番のラインからの光を透過する第１偏光メガネとしての偏光メガネ３と、映像のうち、偶数番のラインからの光を透過する第２偏光メガネとしての偏光メガネ４と、第１映像生成部５と、第２映像生成部６とを備える。
【００１５】
第１映像生成部５は、例えば映画などの第１映像Ａおよびその音声信号を生成し、ＨＤＭＩ（High-Definition Multimedia Interface：デジタル映像・音声入出力インターフェース）ケーブルにて表示装置１の第１ＨＤＭＩ端子（図示せず）に入力する。
【００１６】
なお、この例は映像と音声が一つの信号ケーブルで入力されるＨＤＭＩを想定しているが、この他、例えば映像信号をコンポジット信号ケーブルで、また音声信号をステレオ信号ケーブルでというように別々のケーブルで入力してもよい。この場合、表示装置１の第１映像入力端子（図示せず）に映像信号を、第１音声入力端子（図示せず）に音声信号をそれぞれ入力する。
【００１７】
第２映像生成部６は、例えばゲーム画像などの第２映像Ｂを生成し、ＨＤＭＩケーブルにて表示装置１の第２ＨＤＭＩ端子（図示せず）に入力する。なお映像と音声とが別の場合は表示装置１の第２映像入力端子（図示せず）に映像信号を、第２音声入力端子（図示せず）に音声信号をそれぞれ入力する。
【００１８】
偏光メガネ３は、表示装置１に表示される映像を視聴するための眼鏡であり、フロント部分にブリッジ３１で固定された左右の偏光レンズ３２と、テンプル部３３に設けられたヘッドセット部３４とを備えている。左右の偏光レンズ３２は、表示装置１の液晶表示パネル２５に映し出される映像のうち、奇数番のライン（１，３，５，７…番目のライン）から第１偏光部６１（図５参照）を透過した光を透過する。ヘッドセット部３４は、表示装置１との無線通信により受信された音声を発生する。
【００１９】
偏光メガネ４は、表示装置１に表示される映像を視聴するための眼鏡であり、フロント部分にブリッジ４１で固定された左右の偏光レンズ４２と、テンプル部４３に設けられたヘッドセット部４４とを備えている。
【００２０】
左右の偏光レンズ４２は、第１偏光レンズ部であり、表示装置１の液晶表示パネル２５に映し出される映像のうち、偶数番のライン（２，４，６，８…番目のライン）から第２偏光部６２（図５参照）を透過した光を透過する。ヘッドセット部４４は、表示装置１との無線通信により受信された音声を発生する。
【００２１】
表示装置１は、図２に示すように、信号処理回路２１、映像合成回路２２、フレームメモリ２３、倍速駆動回路２４、液晶表示パネル２５、音声処理部２６、Bluetooth通信部２７などを備えている。Bluetoothは登録商標である。
【００２２】
信号処理回路２１は、入力された第１映像Ａと第２映像Ｂとをフレーム単位に映像合成回路２２へ出力する一方、映像と同時に入力された第１映像Ａの音声信号と第２映像Ｂの音声信号を音声処理部２６へ出力する。
【００２３】
映像合成回路２２は、入力された第１映像Ａの１枚のフレームを奇数ラインに映すように処理する。また映像合成回路２２は、入力された第２映像Ｂの１枚のフレームを遇数ラインに映すように処理する。そして、映像合成回路２２は、各ラインの映像を順に並べた映像フレームを生成しフレームメモリ２３に記憶する。
【００２４】
すなわち、映像合成回路２２は、入力された第１映像Ａの１枚のフレームと第２映像Ｂの１枚フレームをライン毎に交互に映像を挿入するように合成し、合成した映像（合成映像）をフレーム毎にフレームメモリ２３に記憶する。
【００２５】
倍速駆動回路２４は、フレームメモリ２３に記憶された合成映像を１秒間に１２０フレームという速度（１２０Ｈｚ：倍速）で読み出して、液晶表示パネル２５へ出力する。
【００２６】
液晶表示パネル２５は、例えばＴＦＴ液晶表示パネルであり、信号ラインと走査ラインとを直交配置し、それぞれの交点にトランジスタを形成し、それぞれのラインの電圧印加を制御することで画素として発光させる。
【００２７】
すなわち、上記映像合成回路２２および倍速駆動回路２４は、複数のラインのうち第１映像と第２映像とを一つおきに出力する映像出力部として機能する。
【００２８】
液晶表示パネル２５は、例えばフルＨＤサイズのパネルであれば、縦一つのラインが１０８０画素、横一つのラインが１９２０画素の有効画素数を有する。液晶表示パネル２５は、倍速駆動回路２４から入力される映像のフレームを横方向のライン毎に表示する。
【００２９】
液晶表示パネル２５には、横方向のライン１つおき（ライン毎に交互）に偏光成分を変えた（位相９０°ずらした）偏光板２９が設けられている（図５参照）。
【００３０】
偏光板２９は、図５に示すように、複数のラインのうちの奇数番のライン上に設けられた第１の偏光特性を有する第１偏光部６１と、複数のラインのうちの偶数番のライン上に設けられた第１の偏光特性とは異なる第２の偏光特性を有する第２偏光部６２とを備えている。
【００３１】
これにより、１番目のラインには第１映像Ａ、２番目のラインには第２映像Ｂ、３番目のラインには第１映像Ａ、４番目のラインには第２映像Ｂというように表示される。
【００３２】
一方、音声処理部２６は、信号処理回路２１から入力された第１映像Ａの音声信号と第２映像Ｂの音声信号をBluetooth通信部２７へ渡す。
【００３３】
Bluetooth通信部２７には、Advanced Audio Distribution Profile（Ａ２ＤＰ）２８などのプロファイルが設定されている。このＡ２ＤＰはデジタルオーディオプレイヤー − ヘッドフォン間などで用いられる、ステレオ音質のオーディオデータをストリーミング配信するためのプロファイルである。
【００３４】
Bluetooth通信部２７は、予めペアリング設定されている偏光メガネ３のヘッドセット部３４へ第１映像Ａの音声信号を送信する。また、Bluetooth通信部２７は、予めペアリング設定されている偏光メガネ４のヘッドセット部４４へ第２映像Ｂの音声信号を送信する。
【００３５】
偏光メガネ３のヘッドセット部３４は、図３に示すように、Bluetooth通信部５１、右スピーカ５３、左スピーカ５４、バッテリ５５などを有している。
【００３６】
Bluetooth通信部５１は、Ａ２ＤＰ５２を有しており、予めペアリング設定されたBluetooth通信部２７から第１映像Ａの音声信号を受信し、右音声信号を右スピーカ５３へ、左音声信号を左スピーカ５４へそれぞれ出力する。
【００３７】
なお、ヘッドセット部４４の場合は、予めペアリング設定されたBluetooth通信部２７から第２映像Ｂの音声信号を受信する。すなわち、Bluetooth通信部５１は、第１映像および第２映像のうち、対応するラインの映像の音声信号を受信する無線受信部として機能する。
【００３８】
右スピーカ５３は、Bluetooth通信部５１から入力された右音声信号を音声として発生する。左スピーカ５４は、Bluetooth通信部５１から入力された左音声信号を音声として発生する。バッテリ５５は、例えば単三、単四などの既定サイズの乾電池または充電池などであり、ヘッドセット部３４の各部に電源を供給する。なお、Bluetooth通信部５１以外の構成については偏光メガネ４のヘッドセット部４４も同じである。
【００３９】
以下、図４、図５を参照してこの第１実施形態の映像視聴システムの動作を説明する。
【００４０】
この映像視聴システムの場合、第１映像生成部５で生成された映画の第１映像Ａおよびその音声信号が、表示装置１の第１映像入力端子（図示せず）と第１音声入力端子（図示せず）にそれぞれ入力される。
【００４１】
また、第２映像生成部６で生成されたゲーム画像の第２映像Ｂとその音声信号が表示装置１の第２映像入力端子（図示せず）と第２音声入力端子（図示せず）にそれぞれ入力される。
【００４２】
表示装置１では、信号処理回路２１により第１映像Ａと第２映像Ｂが映像合成回路２２に出力され、それぞれの音声信号が音声処理部２６へ出力される。
【００４３】
映像合成回路２２は、第１映像Ａと第２映像Ｂが入力されると、図４、図５に示すように、奇数ライン（１，３，５，７…番目のライン）に第１映像Ａを、偶数ライン（２，４，６，８…番目のライン）に第２映像Ｂを映し出すように合成映像を生成し、フレームメモリ２３に記憶する。
【００４４】
このような画面表示が行われる表示装置１を、偏光メガネ３をかけた利用者がみた場合、液晶表示パネル２５の奇数ライン上に設けられた偏光板２９を透過した第１偏光成分の光を偏光レンズ３２が透過するので、液晶表示パネル２５の奇数ラインに映し出された映像、つまり第１映像Ａだけが見える。この際、表示装置１では倍速駆動しているため、ちらつきなどが抑えられたそれぞれの映像を各視聴者が見ることができる。
【００４５】
また、第１映像Ａの音声がBluetooth通信により表示装置１からヘッドセット部３４に受信されて左右のスピーカ５３、５４からステレオ音声として発生されるので、偏光メガネ３をかけた利用者だけに第１映像Ａの音声が聞こえる。
【００４６】
一方、偏光メガネ３をかけた利用者のそばにいる偏光メガネ４をかけた利用者が表示装置１をみた場合、液晶表示パネル２５の遇数ライン上に設けられた偏光板２９を透過した第２偏光成分の光を偏光レンズ４２が透過するので、液晶表示パネル２５の偶数ラインに映し出された映像、つまり第２映像Ｂだけが見える。
【００４７】
また、第２映像Ｂの音声がBluetooth通信により表示装置１からヘッドセット部４４に受信されて左右のスピーカ５３、５４からステレオ音声として発生されるので、偏光メガネ４をかけた利用者だけに第２映像Ｂの音声が聞こえる。なお、映像と音声と偏光メガネ３，４との対応を示す情報を予め表示装置１のメモリに設定しておくものとする。
【００４８】
このようにこの第１実施形態の映像視聴システムによれば、例えば映画を見る視聴者とゲーム機で遊ぶ人の２人が同じ画面を共用する上で、映画とゲーム画面などの異なる２つの映像を液晶表示パネル２５の奇数ラインと偶数ラインに表示させる一方、ライン別の偏光特性を持つ偏光メガネ３，４をそれぞれの視聴者がかけ、それぞれの映像の音声を対応する偏光メガネ３，４のヘッドセット部３４，４４から出力することで、液晶表示パネル２５の画面を分割することなく２人が同じ画面を共用し、それぞれが別個の映像とその音声を、他人に迷惑をかけることなく視聴することができる。
【００４９】
次に、図６乃至図１１を参照して第２実施形態について説明する。なお第１実施形態と同じ構成には同一の符号を付しその説明は省略する。第１実施形態ではライン単位に第１映像Ａと第２映像Ｂとを切り替えたが、この第２実施形態はフレーム単位に映像を切り替える。
【００５０】
この第２実施形態の映像視聴システムは、図６に示すように、映像を表示する一つの画面と倍速表示機能とBluetooth通信機能とを有する表示装置１と、この表示装置１に第１映像Ａを入力する第１映像生成部５と、表示装置１に第２映像Ｂを入力する第２映像生成部６と、表示装置１とBluetooth通信により接続される第１液晶シャッター付きメガネとしての液晶シャッター付きメガネ７、第２液晶シャッター付きメガネとしての液晶シャッター付きメガネ８とを備える。
【００５１】
液晶シャッター付きメガネ７には、液晶シャッター付きレンズ７１が設けられている。液晶シャッター付きメガネ８には液晶シャッター付きレンズ７２が設けられている。液晶シャッター付きレンズ７１，７２のレンズ面には、制御を受けてレンズに入る光を透光または遮光する光学的シャッターである液晶シャッター７６，７７が形成されている。
【００５２】
表示装置１は、図７に示すように、信号処理回路２１、映像遅延部３０、映像合成回路２２、フレームメモリ２３、倍速駆動回路２４、液晶表示パネル２５、音声処理部２６、Bluetooth通信部２７などを備えている。
【００５３】
映像遅延部３０は、入力された第２映像Ｂのフレームを、第１映像Ａのフレームに対してフレーム周期の半周期分（Ｖ／２）だけ遅延させて映像合成回路２２へ出力する。映像合成回路２２は入力された順に映像のフレームをフレームメモリ２３に記憶する。
【００５４】
これにより、フレームメモリ２３には、第１映像Ａのフレーム、第２映像Ｂのフレーム、第１映像Ａのフレーム、第２映像Ｂのフレームというように異なる映像のフレームが交互に挿入される形でフレームメモリ２３に記憶される。
【００５５】
倍速駆動回路２４は、フレームメモリ２３に記憶された映像のフレームを、１秒間に１２０フレームという速度（１２０Ｈｚ：倍速）で読み出して、液晶表示パネル２５へ出力する。これにより、液晶表示パネル２５には、第１映像Ａのフレームと第２映像Ｂのフレームが交互に表示されることになる。
【００５６】
また、倍速駆動回路２４は、フレームメモリ２３から映像のフレームを読み出すタイミングで、各液晶シャッター付きメガネ７、８の液晶シャッターを開閉制御するための制御信号であるシャッター制御信号をBluetooth通信部２７へ出力する。このシャッター制御信号は液晶シャッター付きメガネ７と液晶シャッター付きメガネ８とで液晶シャッターの開閉動作が異なるように動作させる信号である。
【００５７】
Bluetooth通信部２７は、受け取った制御信号を該当する液晶シャッター付きメガネ７および液晶シャッター付きメガネ８へ送信する。
【００５８】
液晶シャッター付きメガネ７、８は、図８に示すように、Bluetooth通信部５１、右スピーカ５３、左スピーカ５４、バッテリ５５の他、液晶シャッター駆動回路７５、第１映像用の液晶シャッター７６および第２映像用の液晶シャッター７７を有している。
【００５９】
液晶シャッター駆動回路７５は、Bluetooth通信部５１により表示装置１から受信されたシャッター制御信号に従って、第１映像用の液晶シャッター７６および第２映像用の液晶シャッター７７を駆動（電圧を印加）し、透光状態（液晶シャッターが開いた状態：開）および遮光状態（液晶シャッターが閉じた状態：閉）にする。
【００６０】
第１映像用の液晶シャッター７６および第２映像用の液晶シャッター７７は、光が通らないように偏光方向を直交させた２枚の偏光フィルターの間に、ねじれた液晶を挟み、液晶にかける電圧を制御することで、液晶のならびを可変し、透光（電圧をかけず液晶分子をねじれたままにする）または遮光（電圧をかけて液晶分子を直立）させるよう構成したものである。
【００６１】
次に、図９乃至図１１を参照してこの第２実施形態の映像視聴システムの動作を説明する。この映像視聴システムでは、第１映像Ａと第２映像Ｂが表示装置１に入力されると、信号処理回路２１は、図９に示すように、第１映像Ａのフレームを順に映像合成回路２２へ出力し、第２映像Ｂのフレームを順に、映像遅延部３０を通じて映像合成回路２２へ出力する。映像遅延部３０では、第２映像Ｂのフレームが半周期遅れて出力される。
【００６２】
これにより、映像合成回路２２には、第１映像Ａの１フレーム目Ａ−１の後に、第２映像Ｂの１フレーム目Ｂ−１が入力され、その後、第１映像Ａの２フレーム目Ａ−２、第２映像Ｂの２フレーム目Ｂ−２という順に、別のフレームが交互に入力されるので、その順に映像が合成されてフレームメモリ２３に記憶される。
【００６３】
倍速駆動回路２４は、フレームメモリ２３からフレームを順次読み出して液晶表示パネル２５に出力するので、液晶表示パネル２５には、第１映像Ａのフレームと第２映像Ｂのフレームが交互に表示される。また、各映像の出力と同時に、それぞれの映像の音声信号もBluetooth通信で、対応するヘッドセット部３４，４４へ送信される。
【００６４】
また、倍速駆動回路２４は、フレームメモリ２３からフレームを読み出し液晶表示パネル２５に出力するタイミングで、シャッター制御信号をBluetooth通信部２７へ出力し、シャッター制御信号がBluetooth通信部２７から各液晶シャッター付きメガネ７、８へ送信される。
【００６５】
各液晶シャッター付きメガネ７、８では、液晶シャッター駆動回路７５が、受け取ったシャッター制御信号（切り替えタイミング）に従って、対応する液晶シャッター７６、７７の開閉を制御する。
【００６６】
具体的には、液晶シャッター付きメガネ７にシャッター制御信号（切り替えタイミング）が受信されると、液晶シャッター駆動回路７５は、液晶表示パネル２５に第１映像Ａのフレームが映し出されているときに液晶シャッター７６を開（透光状態）とし、液晶表示パネル２５に第２映像Ｂのフレームが映し出されているときに、液晶シャッター７７を遮光状態とする。
【００６７】
一方、液晶シャッター付きメガネ８にシャッター制御信号（切り替えタイミング）が受信されると、液晶シャッター駆動回路７５は、液晶表示パネル２５に第１映像Ａのフレームが映し出されているときに液晶シャッター７７を遮光状態とし、液晶表示パネル２５に第２映像Ｂのフレームが映し出されているときに、液晶シャッター７７を透光状態とする。
【００６８】
すなわち、図１０に示すように、表示装置１に第１映像Ａが表示されているときに、液晶シャッター付きメガネ７の液晶シャッター７６が開となり、液晶シャッター付きメガネ８の液晶シャッター７７が閉となる。
【００６９】
また、図１１に示すように、表示装置１に第２映像Ｂが表示されているときに、液晶シャッター付きメガネ７の液晶シャッター７６が閉となり、液晶シャッター付きメガネ８の液晶シャッター７７が開となる。
【００７０】
このようにこの第２実施形態の映像視聴システムによれば、液晶シャッター付きメガネ７を装着している視聴者は、液晶表示パネル２５に映し出された第１映像Ａとその音声だけを視聴でき、液晶シャッター付きメガネ８を装着している視聴者は、液晶表示パネル２５に映し出された第２映像Ｂとその音声だけを視聴できることになり、液晶表示パネル２５の画面を分割することなく２人が同じ画面を共用して別々の映像を、他人に迷惑をかけることなく視聴することができる。
【００７１】
次に、第３実施形態について説明する。この例は第２実施形態の応用例である。
すなわち、第２実施形態では、表示装置１が２種類の入力ソース（映像）を合成して出力映像を作成していたが、これを、図１２に示すように、ゲーム機９などの外部入力機器の側に信号処理回路２１、映像合成回路２２、映像遅延部３０、音声処理部２６およびBluetooth通信部２７などを設け、２種類の映像を予め合成した合成映像を表示装置１に入力する。
【００７２】
また、表示装置１では、入力される合成映像が切り替わるタイミングに合わせて倍速駆動回路２４がシャッター制御信号を、Bluetooth通信部２７を介して各液晶シャッター付きメガネ７、８へ送り、それぞれの液晶シャッター駆動回路７５が、第１映像Ａまたは第２映像Ｂの表示タイミングに合わせてそれぞれの液晶シャッター７６，７７を制御する。
【００７３】
この第３実施形態によれば、ゲーム機９の側で合成映像を生成した上で表示装置１へ出力するとともに、Bluetooth通信でシャッター制御信号を液晶シャッター付きメガネ７，８へ送信するよう構成することで、本システムをゲーム機９の多人数プレイ等に適用することができる。
【００７４】
なお、本願発明は、上記実施形態のみに限定されるものではなく、実施段階ではその要旨を逸脱しない範囲で構成要素を変形してもよい。
【００７５】
例えば上記第１実施形態で示した偏光メガネ３，４や第２実施形態で示した液晶シャッター付きメガネ７，８をかけている人だけが第１映像のみが見え、これらのメガネをかけていない人だけが第２の映像のみが見えるよう構成することも考えられる。
【００７６】
また、上記実施形態では、倍速表示機能で２つのメガネを用いた例について説明したが、この他、例えばＮ倍速表示が可能な表示装置１と、Ｎ種類の偏光メガネまたは液晶シャッター付きメガネを用いることにより、一つの画面で同時にＮ種類の映像を視聴することができる。
【００７７】
上記実施形態で示した各構成要素を、コンピュータのハードディスク装置などのストレージにインストールしたプログラムで実現してもよく、またプログラムを、コンピュータ読取可能な電子媒体：electronic mediaに記憶しておき、プログラムを電子媒体からコンピュータに読み取らせることで本発明の機能をコンピュータが実現するようにしてもよい。
【００７８】
電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００７９】
１…表示装置、３，４…偏光メガネ、５，６…映像生成部、７，８…液晶シャッター付きメガネ、９…ゲーム機、２１…信号処理回路、２２…映像合成回路、２３…フレームメモリ、２４…倍速駆動回路、２４…倍速駆動回路、２５…液晶表示パネル、２６…音声処理部、２７…Bluetooth通信部、２９…偏光板、３０…映像遅延部、３１，４１…ブリッジ、３２，４２…偏光レンズ、３３，４３…テンプル部、３４，４４…ヘッドセット部、５１…Bluetooth通信部、５３…右スピーカ、５４…左スピーカ、５５…バッテリ、７１…レンズ、７２…レンズ、７５…液晶シャッター駆動回路、７６…第１映像用液晶シャッター、７７…第２映像用液晶シャッター。
【図１】
2011033749.tif 000003
【図２】
2011033749.tif 000004
【図３】
2011033749.tif 000005
【図４】
2011033749.tif 000006
【図５】
2011033749.tif 000007
【図６】
2011033749.tif 000008
【図７】
2011033749.tif 000009
【図８】
2011033749.tif 000010
【図９】
2011033749.tif 000011
【図１０】
2011033749.tif 000012
【図１１】
2011033749.tif 000013
【図１２】
2011033749.tif 000014